(57)【特許請求の範囲】
【請求項１】
両面に熱可塑性樹脂を積層した板紙素材からなり、４つの胴部パネルを備え、縦方向シールパネルによって縁部が接合されて横断面が方形の筒状体に形成され、前記胴部パネルの上端に、上部に帯状の外側トップシールパネルを有し互いに対向する一対の切妻屋根形成パネルと、前記外側トップシールパネルよりも低い高さの帯状の内側トップシールパネルを有し互いに対向する一対の妻壁形成パネルとが連設され、前記切妻屋根形成パネル間に前記妻壁形成パネルが折り込まれて、対向する前記外側トップシールパネルと前記内側トップシールパネルとの対向面同士がシールされ、且つ前記外側トップシールパネルの対向面同士および前記内側トップシールパネルの対向面同士がシールされて切妻屋根形頂部が形成され、
前記切妻屋根形成パネル間に折り込まれる前記妻壁形成パネルのうちの一方の妻壁形成パネルが有する前記内側トップシールパネルの内面に、横長さ方向の両端に所定の横幅の端部シール域を残して易剥離剤が塗布された易剥離領域が設けられ、その両側に位置する一対の切妻屋根形成パネルが有する前記外側トップシールパネルの内面における横長さ方向のほぼ半分で前記内側トップシールパネル寄りの部分に、前記内側トップシールパネル寄りに所定の横幅の端部シール域を残して易剥離剤が塗布された易剥離領域が設けられており、
開封時、前記易剥離領域が設けられた前記内側トップシールパネルを有する側の前記妻壁形成パネルを引き出して開口部とする紙容器であって、
前記内側トップシールパネルに設けられた前記易剥離領域の両端に存在する前記端部シール域と、その両側の前記外側トップシールパネルに設けられた前記易剥離領域の前記内側トップシールパネルの寄り端部に存在する前記端部シール域とに、縦長さ方向前記胴部パネル寄りの一部に前記各易剥離領域の延長部がそれぞれ設けられており、
前記各易剥離領域の延長部は、その上辺が前記各易剥離領域の端部上方から下方に向けて縦長さ方向前記胴部パネル寄りが長くなるように傾斜していることを特徴とする紙容器。
【請求項２】
前記各易剥離領域の延長部は、略三角形、略台形または略階段形であることを特徴とする請求項１に記載の紙容器。
【発明の詳細な説明】
【技術分野】
【０００１】
本発明は、例えば牛乳や果汁ジュースなどの飲料液体を収容する切妻屋根形頂部を有するゲーブルトップ型と呼ばれる紙容器に関する。
【背景技術】
【０００２】
図１０は、ゲーブルトップ型と呼ばれる紙容器を示し、図１１は図１０に示す紙容器１の開封状態を示し、図１２は図１０に示す従来の紙容器の内面要部展開図を示している。
この種の紙容器１は、両面に熱可塑性樹脂を積層した板紙素材が用いられ、４つの胴部パネル２をそれぞれ縦折線３から折り加工し、一側と他側の胴部パネル２を糊代となる縦シールパネル４により接合して横断面方形の筒状体に形成されている。
また、４つの胴部パネル２の対向各上端には、対向する一対の切妻屋根形成パネル５，６と、これら切妻屋根形成パネル５，６間に折り込まれることとなる対向する一対の妻壁形成パネル７，８がそれぞれ横折線１０を介して連設されている。切妻屋根形成パネル５，６の各上端にはそれぞれ横折線１１，１２を介して帯状の外側トップシールパネル１３，１４が設けられ、妻壁形成パネル７，８の各上端にもそれぞれ横折線１５，１６を介して帯状の内側トップシールパネル１７，１８が設けられている。この内側トップシールパネル１７，１８の帯の高さ寸法は、外側トップシールパネル１３，１４のそれよりも低く形成されている。
【０００３】
そして、切妻屋根形成パネル５，６間に妻壁形成パネル７，８が折り込まれて、対向する外側トップシールパネル１３，１４と内側トップシールパネル１７，１８との対向面同士が加熱シールされると共に、外側トップシールパネル１３，１４の対向面同士および内側トップシールパネル１７，１８の対向面同士も加熱シールされることによって切妻屋根形頂部１９が形成され、開封時に、切妻屋根形成パネル５，６間に折り込まれている一方の妻壁形成パネル７の内側トップシールパネル１７を外側トップシールパネル１３，１４から剥がしながら、この一方の妻壁形成パネル７を引き出して注出口となる開口部２０としている（図１１）。
【０００４】
そして、開封を容易に行えるようにするために、開口部２０を開口するために引き出す一方の妻壁形成パネル７が有する内側トップシールパネル１７と、内側トップシールパネル１７と対向する一対の切妻屋根形成パネル５，６が有する外側トップシールパネル１３，１４との対向面には、それぞれ易剥離領域２１，２２，２３が設けられ、内側トップシールパネル１７と外側トップシールパネル１３，１４が易剥離領域２１，２２，２３を介して加熱シールされている。
【０００５】
従来、開口部２０を開口するために引き出す一方の妻壁形成パネル７が有する内側トップシールパネル１７と、その両側に位置する一対の切妻屋根形成パネル５，６が有する外側トップシールパネル１３，１４との対向面に設けられる易剥離領域２１，２２，２３としては、図１２に示すように、内側トップシールパネル１７の内面に、横長さ方向の両端に所定の横幅Ａの端部シール域２４を残して易剥離領域２１を設け、外側トップシールパネル１３，１４の内面における横長さ方向のほぼ半分で内側トップシールパネル１７寄りの部分に、内側トップシールパネル１７寄りに所定の横幅Ｂの端部シール域２５，２６を残して易剥離領域２２，２３を設けたものが知られている（例えば、特許文献１参照。）。
【０００６】
前記した内側トップシールパネル１７に設けられた易剥離領域２１の両端に存在する端部シール域２４の横幅Ａと、その両側の外側トップシールパネル１３，１４に設けられた易剥離領域２２，２３の内側トップシールパネル１７寄り端部に存在する端部シール域２５，２６の横幅Ｂは、狭ければ内側トップシールパネル１７と外側トップシールパネル１３，１４の剥離は容易となる反面、内側トップシールパネル１７と外側トップシールパネル１３，１４のシール性が低下し、液漏れを生じるおそれがある。そのため端部シール域２４，２５，２６の横幅Ａ，Ｂは、少なくとも内側トップシールパネル１７と外側トップシールパネル１３，１４のシール性を維持し、液漏れを生じさせない幅として設定されている。
【先行技術文献】
【特許文献】
【０００７】
【特許文献１】特開２０００−７９９３９号公報
【発明の概要】
【発明が解決しようとする課題】
【０００８】
上記のように、従来のゲーブルトップ型と呼ばれる切妻屋根形頂部を頭部に設けた紙容器１における、内側トップシールパネル１７に設けられた易剥離領域２１の両端に存在する端部シール域２４と、その両側の外側トップシールパネル１３，１４に設けられた易剥離領域２２，２３の内側トップシールパネル１７寄り端部に存在する端部シール域２５，２６の横幅Ａ，Ｂは、内側トップシールパネル１７と外側トップシールパネル１３，１４のシール性を維持し、液漏れを生じさせない幅となっているため、開封時に、妻壁形成パネル７を引き出す際、内側トップシールパネル１７と外側トップシールパネル１３，１４との端部シール域２４，２５，２６の部分の剥離が困難となり、開口部２０を広く開けられなくなるため、注出口となる妻壁形成パネル７の内側トップシールパネル１７を摘んで開けなければならなくなる。また、このような開け方は衛生上好ましいものではない。
【０００９】
本発明者等は、内側トップシールパネル１７と外側トップシールパネル１３，１４のシール性を維持しつつ、且つ易剥離を可能にすべく試験研究を重ねた結果、端部シール域２４，２５，２６における液漏れを生じさせないシール性は主に横幅Ａ，Ｂにあり、縦幅（図２に示す縦幅Ｃを参照。）の広狭は液漏れを防ぐシール性に与える影響が少ないことを見いだし、本発明を完成するに至った。
【００１０】
本発明の目的は、切妻屋根形頂部を有するゲーブルトップ型紙容器において、シール性を損なうことなく、開封時に開口部の開口を容易にしてユーザの利便を高めた紙容器を提供することにある。
【課題を解決するための手段】
【００１１】
上記の目的を達成するために、請求項１に記載の発明は、両面に熱可塑性樹脂を積層した板紙素材からなり、４つの胴部パネルを備え、縦方向シールパネルによって縁部が接合されて横断面が方形の筒状体に形成され、前記胴部パネルの上端に、上部に帯状の外側トップシールパネルを有し互いに対向する一対の切妻屋根形成パネルと、前記外側トップシールパネルよりも低い高さの帯状の内側トップシールパネルを有し互いに対向する一対の妻壁形成パネルとが連設され、前記切妻屋根形成パネル間に前記妻壁形成パネルが折り込まれて、対向する前記外側トップシールパネルと前記内側トップシールパネルとの対向面同士がシールされ、且つ前記外側トップシールパネルの対向面同士および前記内側トップシールパネルの対向面同士がシールされて切妻屋根形頂部が形成され、前記切妻屋根形成パネル間に折り込まれる前記妻壁形成パネルのうちの一方の妻壁形成パネルが有する前記内側トップシールパネルの内面に、横長さ方向の両端に所定の横幅の端部シール域を残して易剥離剤が塗布された易剥離領域が設けられ、その両側に位置する一対の切妻屋根形成パネルが有する前記外側トップシールパネルの内面における横長さ方向のほぼ半分で前記内側トップシールパネル寄りの部分に、前記内側トップシールパネル寄りに所定の横幅の端部シール域を残して易剥離剤が塗布された易剥離領域が設けられており、開封時、前記易剥離領域が設けられた前記内側トップシールパネルを有する側の前記妻壁形成パネルを引き出して開口部とする紙容器であって、前記内側トップシールパネルに設けられた前記易剥離領域の両端に存在する前記端部シール域と、その両側の前記外側トップシールパネルに設けられた前記易剥離領域の前記内側トップシールパネルの寄り端部に存在する前記端部シール域とに、縦長さ方向前記胴部パネル寄りの一部に前記各易剥離領域の延長部がそれぞれ設けられており、前記各易剥離領域の延長部は、その上辺が前記各易剥離領域の端部上方から下方に向けて縦長さ方向前記胴部パネル寄りが長くなるように傾斜していることを特徴とする。
【００１３】
請求項２に記載の発明は、請求項１に記載の、前記各易剥離領域の延長部は、略三角形、略台形または略階段形であることを特徴とする。
【発明の効果】
【００１５】
請求項１に記載の紙容器によれば、前記内側トップシールパネルに設けられた前記易剥離領域の両端に存在する前記端部シール域と、その両側の前記外側トップシールパネルに設けられた前記易剥離領域の前記内側トップシールパネル寄り端部に存在する前記端部シール域とに、縦長さ方向前記胴部パネル寄りの一部に前記各易剥離領域の延長部をそれぞれ設けたので、前記外側トップシールパネルと前記内側トップシールパネルにおける前記端部シール域の上部側に、従来の端部シール域の横幅と同じ長さの横幅を確保しながら、前記各易剥離領域の延長部により前記端部シール域を小さくすることができ、前記外側トップシールパネルと前記内側トップシールパネルとの間のシール性を損なわず、開封時には、前記外側トップシールパネルと前記内側トップシールパネルにおける前記端部シール域の剥離が容易となり、開口部の開口を容易に行うことができる。
そして、前記各易剥離領域の延長部は、その上辺が前記各易剥離領域の端部上方から下方に向けて縦長さ方向前記胴部パネル寄りが長くなるように傾斜しているので、前記各易剥離領域の延長部の上辺の傾斜方向が、妻壁形成パネルを引き出す際の内側トップシールパネルと外側トップシールパネルに存在する端部シール域の剥離進行方向に沿うことになり、前記外側トップシールパネルと前記内側トップシールパネルにおける前記端部シール域を容易に剥離でき、開口部の開口をより容易に行うことができる。
【００１７】
請求項２に記載の紙容器によれば、請求項１に記載の、前記各易剥離領域の延長部は、略三角形、略台形または略階段形であるので、上辺が前記各易剥離領域の端部上方から下方に向けて縦長さ方向前記胴部パネル寄りが長くなるように傾斜した延長部を容易に得ることができる。
【図面の簡単な説明】
【００１９】
【図１】本発明に係る紙容器の実施の形態の第１例を示す内面要部展開図である。
【図２】第１例の紙容器における妻壁形成パネルを引き出す際の内側トップシールパネルと外側トップシールパネルに存在する端部シール域の剥離進行方向を示す説明図である。
【図３】第１例の延長部の変形例を示す内面要部展開図である。
【図４】第１例の延長部の他の変形例を示す内面要部展開図である。
【図５】本発明に係る紙容器の実施の形態の第２例を示す内面要部展開図である。
【図６】第２例の延長部の変形例を示す内面要部展開図である。
【図７】第２例の延長部の他の変形例を示す内面要部展開図である。
【図８】本発明に係る紙容器の実施の形態の第３例を示す内面要部展開図である。
【図９】本発明に係る紙容器の実施の形態の参考例を示す内面要部展開図である。
【図１０】ゲーブルトップ型の紙容器を示す斜視図である。
【図１１】紙容器の開封状態を示す説明図である。
【図１２】従来の紙容器の内面要部展開図である。
【発明を実施するための形態】
【００２０】
以下、本発明に係る紙容器を実施するための各実施例を、図面を参照して詳細に説明する。
なお、図１０〜図１２で示した従来例と対応する部分には同一の符号を付して説明する。
図１は本発明に係る紙容器の実施の形態の第１例を示す内面要部展開図、図２は本例の紙容器における妻壁形成パネルを引き出す際の内側トップシールパネルと外側トップシールパネルに存在する端部シール域の剥離進行方向を示す説明図、図３は第１例の延長部の変形例を示す内面要部展開図、図４は第１例の延長部の他の変形例を示す内面要部展開図である。
【００２１】
本例の紙容器１では、開口部２０を開口するために引き出す一方の妻壁形成パネル７が有する内側トップシールパネル１７の内面に、横長さ方向の両端に所定の横幅Ａの端部シール域２４を残して易剥離剤が塗布されて易剥離領域２１が設けられ、内側トップシールパネル１７の両側に位置する一対の切妻屋根形成パネル５，６が有する外側トップシールパネル１３，１４の内面における横長さ方向のほぼ半分で内側トップシールパネル１７寄りの部分（切妻屋根形成パネル５，６間に妻壁形成パネル７，８を折り込んだときに、内側トップシールパネル１７と対向する面）に、内側トップシールパネル１７寄りに所定の横幅Ａの端部シール域２５，２６を残して易剥離剤が塗布されて易剥離領域２２，２３が設けられている。
【００２２】
そして、内側トップシールパネル１７に設けられた易剥離領域２１の両端に存在する端部シール域２４に、縦長さ方向における胴部パネル２寄りの部分（易剥離領域２１の端部下方部分）に易剥離領域２１の延長部２１ａが設けられている。同様に、内側トップシールパネル１７の両側の外側トップシールパネル１３，１４に設けられた易剥離領域２２，２３の内側トップシールパネル１７寄り端部に存在する端部シール域２５，２６に、縦長さ方向における胴部パネル２寄りの一部（易剥離領域２２，２３の端部下方部分）に易剥離領域２２，２３の延長部２２ａ，２３ａが設けられている。
【００２３】
本例では、易剥離領域２１，２２，２３の延長部２１ａ，２２ａ，２３ａは、その上辺が各易剥離領域２１，２２，２３の端部上方から下方に向けて縦長さ方向における胴部パネル２寄りが長くなるように傾斜している。
本例では、延長部２１ａ，２２ａ，２３ａの具体的な形状として、その上辺が各易剥離領域２１，２２，２３の端部上方から下方に向けて傾斜した三角形状となっている。本例にあって、三角形状を呈している延長部２１ａ，２２ａ，２３ａの斜辺となる上辺は直線状となっているが、図３に示すように上向きの曲線状であってもよく或いは図４に示すように下向きの曲線状であってもよい。
【００２４】
また、本例では、易剥離領域２１の延長部２１ａと易剥離領域２２の延長部２２ａとの間、易剥離領域２１の延長部２１ａと易剥離領域２３の延長部２３ａとの間が接続していないが、延長部２１ａと延長部２３ａの先端が接続していてもよい。
【００２５】
上記のように構成した本例の紙容器によれば、内側トップシールパネル１７に設けられた易剥離領域２１の両端に存在する端部シール域２４と、その両側の外側トップシールパネル１３，１４に設けられた易剥離領域２２，２３の内側トップシールパネル１７寄り端部に存在する端部シール域２５，２６とに、縦長さ方向胴部パネル２寄りの部分に各易剥離領域２１，２２，２３の延長部２１ａ，２２ａ，２３ａをそれぞれ設けたので、外側トップシールパネル１３，１４と内側トップシールパネル１７における端部シール域２４，２５，２６の上部側に、従来の端部シール域２４，２５，２６の横幅Ａ，Ｂと同じ長さの横幅Ａ，Ｂを確保しながら、各易剥離領域２１，２２，２３の延長部２１ａ，２２ａ，２３ａにより端部シール域２４，２５，２６を小さくできる。
【００２６】
これにより、外側トップシールパネル１３，１４と内側トップシールパネル１７との間のシール性を損なわず、開封時には、外側トップシールパネル１３，１４と内側トップシールパネル１７における端部シール域２４，２５，２６の剥離が容易となり、開口部２０の開口を容易に行える。
【００２７】
また、本例では、易剥離領域２１，２２，２３の延長部２１ａ，２２ａ，２３ａは、その上辺が各易剥離領域２１，２２，２３の端部上方から下方に向けて縦長さ方向における胴部パネル２寄りが長くなるように傾斜しているので、各延長部２１ａ，２２ａ，２３ａの上辺の傾斜方向が、図２に示すように、妻壁形成パネル７を引き出す際の内側トップシールパネル１７と外側トップシールパネル１３，１４に存在する端部シール域２４，２５，２６の剥離進行方向Ｘに沿うことになり、外側トップシールパネル１３，１４と内側トップシールパネル１７における端部シール域２４，２５，２６を小さい力で容易に剥離でき、例えば、開封時に妻壁形成パネル７の内側トップシールパネル１７を摘んだり、指先を掛けたりすることなく、開口部２０を容易に開口することができるので、衛生的である。
本例では、延長部２１ａ，２２ａ，２３ａの形状が、その上辺が各易剥離領域２１，２２，２３の端部上方から下方に向けて傾斜した三角形状となっているので、上辺が各易剥離領域２１，２２，２３の端部上方から下方に向けて縦長さ方向における胴部パネル２寄りが長くなるように傾斜した延長部２１ａ，２２ａ，２３ａが容易に得られる。
【００２８】
図５は本発明に係る紙容器の実施の形態の第２例を示す内面要部展開図、図６は第２例の延長部の変形例を示す内面要部展開図、図７は第２例の延長部の他の変形例を示す内面要部展開図である。
本例の紙容器１も、第１例と同様に、内側トップシールパネル１７に設けられた易剥離領域２１の両端に存在する端部シール域２４に、縦長さ方向における胴部パネル２寄りの一部（易剥離領域２１の端部下方部分）に易剥離領域２１の延長部２１ａが設けられ、また、内側トップシールパネル１７の両側の外側トップシールパネル１３，１４に設けられた易剥離領域２２，２３の内側トップシールパネル１７寄り端部に存在する端部シール域２５，２６に、縦長さ方向における胴部パネル２寄りの一部（易剥離領域２２，２３の端部下方部分）に易剥離領域２２，２３の延長部２２ａ，２３ａが設けられている。
【００２９】
本例も、第１例と同様に、易剥離領域２１，２２，２３の延長部２１ａ，２２ａ，２３ａは、その上辺が各易剥離領域２１，２２，２３の端部上方から下方に向けて縦長さ方向における胴部パネル２寄りが長くなるように傾斜しているが、その具体的な形状は第１例の形状と異なっている。
本例では、前記した各易剥離領域２１，２２，２３の延長部２１ａ，２２ａ，２３ａは、その上辺が各易剥離領域２１，２２，２３の端部上方から下方に向けて傾斜した横向き台形状となっている。本例にあって、台形状を呈している延長部２１ａ，２２ａ，２３ａの斜辺となる上辺は直線状となっているが、図６に示すように上向きの曲線状であってもよく或いは図７に示すように下向きの曲線状であってもよい。
【００３０】
また、本例では、第１例と同様に、易剥離領域２１の延長部２１ａと易剥離領域２２の延長部２２ａとの間、易剥離領域２１の延長部２１ａと易剥離領域２３の延長部２３ａとの間が接続していないが、延長部２１ａと延長部２３ａの先端が接続していてもよい。
【００３１】
上記のように構成した本例の紙容器によれば、第１例と同様に、外側トップシールパネル１３，１４と内側トップシールパネル１７における端部シール域２４，２５，２６の上部側に、従来の端部シール域２４，２５，２６の横幅Ａ，Ｂと同じ長さの横幅Ａ，Ｂを確保しながら、各易剥離領域２１，２２，２３の延長部２１ａ，２２ａ，２３ａにより端部シール域２４，２５，２６を小さくできる。
これにより、外側トップシールパネル１３，１４と内側トップシールパネル１７との間のシール性を損なわず、開封時には、外側トップシールパネル１３，１４と内側トップシールパネル１７における端部シール域２４，２５，２６の剥離が容易となり、開口部２０の開口を容易に行える。
【００３２】
また、本例では、第１例と同様に、易剥離領域２１，２２，２３の延長部２１ａ，２２ａ，２３ａは、その上辺が各易剥離領域２１，２２，２３の端部上方から下方に向けて縦長さ方向における胴部パネル２寄りが長くなるように傾斜しているので、各延長部２１ａ，２２ａ，２３ａの上辺の傾斜方向が、妻壁形成パネル７を引き出す際の内側トップシールパネル１７と外側トップシールパネル１３，１４に存在する端部シール域２４，２５，２６の剥離進行方向（図２に示す方向Ｘ参照。）に沿うことになり、外側トップシールパネル１３，１４と内側トップシールパネル１７における端部シール域２４，２５，２６を小さい力で容易に剥離でき、例えば、開封時に妻壁形成パネル７の内側トップシールパネル１７を摘んだり、指先を掛けたりすることなく、開口部２０を容易に開口することができるので、衛生的である。
本例では、延長部２１ａ，２２ａ，２３ａの形状が、その上辺が各易剥離領域２１，２２，２３の端部上方から下方に向けて傾斜した横向き台形状となっているので、上辺が各易剥離領域２１，２２，２３の端部上方から下方に向けて縦長さ方向における胴部パネル２寄りが長くなるように傾斜した延長部２１ａ，２２ａ，２３ａが容易に得られる。
【００３３】
図８は本発明に係る紙容器の実施の形態の第３例を示す内面要部展開図である。
本例の紙容器１も、第１例と同様に、内側トップシールパネル１７に設けられた易剥離領域２１の両端に存在する端部シール域２４に、縦長さ方向における胴部パネル２寄りの一部（易剥離領域２１の端部下方部分）に易剥離領域２１の延長部２１ａが設けられ、また、内側トップシールパネル１７の両側の外側トップシールパネル１３，１４に設けられた易剥離領域２２，２３の内側トップシールパネル１７寄り端部に存在する端部シール域２５，２６に、縦長さ方向における胴部パネル２寄りの一部（易剥離領域２２，２３の端部下方部分）に易剥離領域２２，２３の延長部２２ａ，２３ａが設けられている。
【００３４】
本例も、第１例と同様に、易剥離領域２１，２２，２３の延長部２１ａ，２２ａ，２３ａは、その上辺が各易剥離領域２１，２２，２３の端部上方から下方に向けて縦長さ方向における胴部パネル２寄りが長くなるように傾斜しているが、その具体的な形状は第１例の形状と異なっている。
本例では、前記した各易剥離領域２１，２２，２３の延長部２１ａ，２２ａ，２３ａは、その上辺が各易剥離領域２１，２２，２３の端部上方から下方に向けて階段状に傾斜した階段形状となっている。
【００３５】
また、本例では、第１例と同様に、易剥離領域２１の延長部２１ａと易剥離領域２２の延長部２２ａとの間、易剥離領域２１の延長部２１ａと易剥離領域２３の延長部２３ａとの間が接続していないが、延長部２１ａと延長部２３ａの先端が接続していてもよい。
【００３６】
上記のように構成した本例の紙容器によれば、第１例と同様に、外側トップシールパネル１３，１４と内側トップシールパネル１７における端部シール域２４，２５，２６の上部側に、従来の端部シール域２４，２５，２６の横幅Ａ，Ｂと同じ長さの横幅Ａ，Ｂを確保しながら、各易剥離領域２１，２２，２３の延長部２１ａ，２２ａ，２３ａにより端部シール域２４，２５，２６を小さくできる。
これにより、外側トップシールパネル１３，１４と内側トップシールパネル１７との間のシール性を損なわず、開封時には、外側トップシールパネル１３，１４と内側トップシールパネル１７における端部シール域２４，２５，２６の剥離が容易となり、開口部２０の開口を容易に行える。
【００３７】
また、本例では、第１例と同様に、易剥離領域２１，２２，２３の延長部２１ａ，２２ａ，２３ａは、その上辺が各易剥離領域２１，２２，２３の端部上方から下方に向けて縦長さ方向における胴部パネル２寄りが長くなるように傾斜しているので、各延長部２１ａ，２２ａ，２３ａの上辺の傾斜方向が、妻壁形成パネル７を引き出す際の内側トップシールパネル１７と外側トップシールパネル１３，１４に存在する端部シール域２４，２５，２６の剥離進行方向（図２に示す方向Ｘ参照。）に沿うことになり、外側トップシールパネル１３，１４と内側トップシールパネル１７における端部シール域２４，２５，２６を小さい力で容易に剥離でき、例えば、開封時に妻壁形成パネル７の内側トップシールパネル１７を摘んだり、指先を掛けたりすることなく、開口部２０を容易に開口することができるので、衛生的である。
本例では、延長部２１ａ，２２ａ，２３ａの形状が、その上辺が各易剥離領域２１，２２，２３の端部上方から下方に向けて階段状に傾斜した階段形状となっているので、上辺が各易剥離領域２１，２２，２３の端部上方から下方に向けて縦長さ方向における胴部パネル２寄りが長くなるように傾斜した延長部２１ａ，２２ａ，２３ａが容易に得られる。
【００３８】
図９は本発明に係る紙容器の実施の形態の参考例を示す内面要部展開図である。
本例の紙容器１も、第１例と同様に、内側トップシールパネル１７に設けられた易剥離領域２１の両端に存在する端部シール域２４に、縦長さ方向における胴部パネル２寄りの一部（易剥離領域２１の端部下方部分）に易剥離領域２１の延長部２１ａが設けられ、また、内側トップシールパネル１７の両側の外側トップシールパネル１３，１４に設けられた易剥離領域２２，２３の内側トップシールパネル１７寄り端部に存在する端部シール域２５，２６に、縦長さ方向における胴部パネル２寄りの一部（易剥離領域２２，２３の端部下方部分）に易剥離領域２２，２３の延長部２２ａ，２３ａが設けられている。
本例では、前記した各易剥離領域２１，２２，２３の延長部２１ａ，２２ａ，２３ａは、矩形状となっている。
【００３９】
また、本例では、第１例と同様に、易剥離領域２１の延長部２１ａと易剥離領域２２の延長部２２ａとの間、易剥離領域２１の延長部２１ａと易剥離領域２３の延長部２３ａとの間が接続していないが、延長部２１ａと延長部２３ａの先端が接続していてもよい。
【００４０】
上記のように構成した本例の紙容器によれば、第１例と同様に、外側トップシールパネル１３，１４と内側トップシールパネル１７における端部シール域２４，２５，２６の上部側に、従来の端部シール域２４，２５，２６の横幅Ａ，Ｂと同じ長さの横幅Ａ，Ｂを確保しながら、各易剥離領域２１，２２，２３の延長部２１ａ，２２ａ，２３ａにより端部シール域２４，２５，２６を小さくできる。
【００４１】
これにより、外側トップシールパネル１３，１４と内側トップシールパネル１７との間のシール性を損なわず、開封時には、外側トップシールパネル１３，１４と内側トップシールパネル１７における端部シール域２４，２５，２６の剥離が容易となり、開口部２０の開口を容易に行える。
【符号の説明】
【００４２】
１  紙容器
２  胴部パネル
３  縦折線
４  縦シールパネル
５、６  切妻屋根形成パネル
７、８  妻壁形成パネル
１０、１１、１２  横折線
１３、１４  外側トップシールパネル
１５、１６  横折線
１７、１８  内側トップシールパネル
１９  切妻屋根形頂部
２０  開口部
２１、２２、２３  易剥離領域
２１ａ、２２ａ、２３ａ  延長部
２４、２５、２６  端部シール域
Ａ、Ｂ  端部シール域横幅
Ｃ  端部シール域縦幅
Ｘ  開封方向
【図１】
0005943473.tif 000002
【図２】
0005943473.tif 000003
【図３】
0005943473.tif 000004
【図４】
0005943473.tif 000005
【図５】
0005943473.tif 000006
【図６】
0005943473.tif 000007
【図７】
0005943473.tif 000008
【図８】
0005943473.tif 000009
【図９】
0005943473.tif 000010
【図１０】
0005943473.tif 000011
【図１１】
0005943473.tif 000012
【図１２】
0005943473.tif 000013